(57)【要約】【課題】レシプロエンジンをイメージさせ、かつピストンの一部に表示された会社名や車名等の任意の文字等の表示内容が周期的、立体的かつ動的に見え隠れすることで、自動車のショールームや自動車ショーの展示ブース等に設置した場合に、インテリアとして有用なだけでなく、外部を通行する人々の目を非常に効果的に引き付けることができるようにする。【解決手段】文字を表示可能なピストン１３と、該ピストンの下方に配置された駆動歯車１４と、該駆動歯車に固定されて共に回転可能なピストン支持体１５と、固定軸２２に固定された太陽歯車１６と、該太陽歯車に噛合しピストン支持体１５に取り付けられた遊星歯車１７と、該遊星歯車により駆動されるクランク１９と、該クランクとピストン１３とに連結されたコネクティングロッド２０とを備え、ピストン１３が直線往復動かつ回転するようにした構成を特徴とする。【選択図】        図２
2004347819.tif 000002
【特許請求の範囲】
【請求項１】
任意の表示内容を表示可能なピストンと、該ピストンを回転させる回転機構と、該回転機構による前記ピストンの回転に連動して前記ピストンを直線往復動させる往復機構とを備え、前記ピストンが直線往復動しながら回転するように構成したことを特徴とするディスプレイ装置。
【請求項２】
任意の表示内容を表示可能なピストンと、該ピストンを回転させる回転機構と、該回転機構による前記ピストンの回転に遊星歯車列を介して連動し前記ピストンを直線往復動させる往復機構とを備え、前記ピストンが直線往復動しながら回転するように構成したことを特徴とするディスプレイ装置。
【請求項３】
任意の表示内容を表示可能なピストンと該ピストンを回転させる回転機構と該回転機構による前記ピストンの回転に遊星歯車列を介して連動し前記ピストンを直線往復動させる往復機構とを備えたディスプレイ部を複数台設け、すべての前記回転機構が連動して回転するように構成し、すべての前記ピストンが直線往復動しながら回転するように構成したことを特徴とするディスプレイ装置。
【請求項４】
任意の表示内容を表示可能なピストンと、該ピストンの下方に配置され回転可能な駆動歯車と、該駆動歯車に固定されて共に回転可能なピストン支持体と、基台に固定された太陽歯車と、該太陽歯車に噛合し前記ピストン支持体に取り付けられた遊星歯車と、該遊星歯車により駆動されるクランクと、一端が該クランクに、他の一端が前記ピストンに連結されたコネクティングロッドとを備え、前記ピストンが該クランクにより前記コネクティングロッドを介して直線往復動しながら回転するように構成したことを特徴とするディスプレイ装置。
【請求項５】
任意の表示内容を表示可能なピストンと該ピストンの下方に配置され回転可能な駆動歯車と該駆動歯車に固定されて共に回転可能なピストン支持体と基台に固定された太陽歯車と該太陽歯車に噛合し前記ピストン支持体に取り付けられた遊星歯車と該遊星歯車により駆動されるクランクと一端が該クランクに、他の一端が前記ピストンに連結されたコネクティングロッドとを備えたディスプレイ部を複数台設け、隣り合う前記駆動歯車の間に遊び歯車を夫々配置してすべての前記駆動歯車が同期して回転するように構成し、該駆動歯車と連動してすべての前記ピストンが回転すると共に、前記クランクにより前記コネクティングロッドを介して直線往復動するように構成したことを特徴とするディスプレイ装置。
【請求項６】
任意の表示内容を表示可能なピストンと該ピストンの下方に配置され回転可能な駆動歯車と該駆動歯車に固定されて共に回転可能なピストン支持体と基台に固定された太陽歯車と該太陽歯車に噛合し前記ピストン支持体に取り付けられた遊星歯車と該遊星歯車により駆動されるクランクと一端が該クランクに、他の一端が前記ピストンに連結されたコネクティングロッドとを備えたディスプレイ部を水槽内に複数台設け、隣り合う前記駆動歯車の間に遊び歯車を夫々配置してすべての前記駆動歯車が同期して回転するように構成し、該駆動歯車と連動してすべての前記ピストンが回転すると共に、前記クランクにより前記コネクティングロッドを介して直線往復動するように構成し、かつ前記ピストンが前記水槽内で動く際に１回転に一度全部の前記ピストンに夫々表示された前記表示内容が連なって外部から読み取れるように構成したことを特徴とするディスプレイ装置。
【請求項７】
任意の表示内容を表示可能なピストンと該ピストンの下方に配置され回転可能な駆動歯車と該駆動歯車に固定されて共に回転可能なピストン支持体と基台に固定された太陽歯車と該太陽歯車に噛合し前記ピストン支持体に取り付けられた遊星歯車と該遊星歯車により駆動されるクランクと一端が該クランクに、他の一端が前記ピストンに連結されたコネクティングロッドとを備えたディスプレイ部を複数台直列に設け、隣り合う前記駆動歯車の間に遊び歯車を夫々配置してすべての前記駆動歯車が同期して回転するように構成し、該駆動歯車と連動してすべての前記ピストンが直列状態で夫々回転すると共に、前記クランクにより前記コネクティングロッドを介して夫々直線往復動するように構成したことを特徴とするディスプレイ装置。
【発明の詳細な説明】
【０００１】
【発明の属する技術分野】
本発明は、ディスプレイ装置に係り、特にレシプロエンジンをイメージしたピストンの上下動に加え、該ピストンが一定速度で回転するようにして、ピストンの一部に表示された会社名や車名等の任意の文字等が周期的、立体的かつ動的に見え隠れすることで、自動車のショールームや自動車ショーの展示ブース等に設置した場合に、インテリアとして有用なだけでなく、外部を通行する人々の目を非常に効果的に引き付けることができ、広告性能の極めて高いディスプレイ装置に関する。
【０００２】
【従来の技術】
自動車のショールームや自動車ショーの展示場等においては、図１５に示すように、自動車１自体を展示すると共に、会社名２や車名（図示せず）等を大きな看板や横断幕、旗等（図示せず）に付したり、ショールーム３の外壁４やガラス面５に貼り付けたりしている。
【０００３】しかしこれらは文字等を静的に表示しているだけであるため変化に乏しく、自動車業界の人や車好きの人等を除けば、外部を通行するごく一般の人々の目を引き付ける効果は低かった。
【０００４】一方、文字等を任意に点滅させたり流したりすることが可能なドットマトリクス形のディスプレイ装置が用いられることがあるが、該ディスプレイ装置は非常に汎用的であるため、自動車以外の業種の店舗前等にも設置されているものである。このため自動車のショールームに設置しても、あまり変わり映えがせず、自動車関連のディスプレイ装置としてはインパクトが小さかった。また文字等の表示が流れるといっても、平面的であって立体感は感じられなかった。
【０００５】この他、種々の映像を表示可能な、液晶パネル、プラズマディスプレイ等を用いたディスプレイ装置があるが、上記のドットマトリクス形と同様に汎用的、かつ平面的であって変わり映えがしない上、立派なプロモーション映像等を用意しないと設備を有効に生かせないという問題があった。
【０００６】なお、図１５に示すように、自動車のショールーム３は、床面までガラス張りなことが多く、しかもフロアが道路よりも高めに設定されていることが多いため、特に女性６，８等が椅子９に着席した場合には、女性の脚がそのひざ上まで外部から見えてしまうので、女性客はこのような窓際に座るのを敬遠しがちであり、このためこのような女性客との商談をスムーズに行うには、窓際に安心して座ってもらう必要があり、このため適度に脚部の目隠しとなるようなものを設置することが望ましかった。しかし単なる目隠しをしたのでは、通行人へのピーアール効果が期待できなかった。
【０００７】なお、本願出願人及び発明者は、本願発明に関連する公知特許文献及び公知非特許文献を知らないので、その記載を省略する。
【０００８】
【発明が解決しようとする課題】
本発明は、上記した従来技術の欠点を除くためになされたものであって、その目的とするところは、任意の表示内容を表示可能なピストンと、該ピストンを回転させる回転機構と、該回転機構によるピストンの回転に連動してピストンを直線往復動させる往復機構とを備え、ピストンが直線往復動しながら回転するように構成することによって、ピストンに表示された表示内容を周期的、立体的かつ動的に見え隠れさせることで、人々の目を非常に有効に引き付けることができるようにすることであり、またこれによってピストンの動きからレシプロエンジンがイメージできることから、自動車のショールームや自動車ショーの展示ブースに設置して会社名や車名等の広告装置として極めて好適なディスプレイ装置を提供することである。
【０００９】また他の目的は、上記構成において、回転機構によるピストンの回転に遊星歯車列を介して連動し、ピストンを直線往復動させる往復機構を備えることによって、ピストン１回転に対する往復移動量を歯数比により定めて、その歯数比に応じた動きをピストンに与えることができるようにすることであり、またこれによってより人目を引き付けるような動きをピストンに与えることができるようにすることである。
【００１０】更に他の目的は、任意の表示内容を表示可能なピストンと該ピストンを回転させる回転機構と該回転機構によるピストンの回転に遊星歯車列を介して連動しピストンを直線往復動させる往復機構とを備えたディスプレイ部を複数台設け、すべての回転機構が連動して回転するように構成し、すべてのピストンが直線往復動しながら回転するように構成することによって、複数のピストンが同位相で又は所定の位相差を持ちながら動き、一目でレシプロエンジンをイメージできるようにすることであり、またこれによって自動車関連の広告宣伝に好適でしかも一目見ただけでそのピストンの動きに注目せずにいられないようなディスプレイ装置を提供することである。
【００１１】また他の目的は、任意の表示内容を表示可能なピストンと、該ピストンの下方に配置され回転可能な駆動歯車と、該駆動歯車に固定されて共に回転可能なピストン支持体と、基台に固定された太陽歯車と、該太陽歯車に噛合しピストン支持体に取り付けられた遊星歯車と、該遊星歯車により駆動されるクランクと、一端が該クランクに、他の一端がピストンに連結されたコネクティングロッドとを備え、ピストンが該クランクによりコネクティングロッドを介して直線往復動しながら回転するように構成することによって、各歯車の歯数比によってピストンの挙動を設定できるようにすると共に、自動車に関連した機械的な動作によってピストンが回転及び直線往復動するようにして、より多くの人が該ピストンの動きに関心を抱くと共にその表示内容が深く印象づけられるようにすることであり、またこれによってより多くの人が自動車のショールーム等を訪れ、自動車の販売が促進されるようにすることである。
【００１２】更に他の目的は、上記構成において、ディスプレイ部を複数台設け、隣り合う駆動歯車の間に遊び歯車を夫々配置してすべての駆動歯車が同期して回転するように構成し、該駆動歯車と連動してすべてのピストンが回転すると共に、クランクによりコネクティングロッドを介して直線往復動するように構成することによって、各々のピストンが常に同位相又は所定の位相差を持って回転及び往復動すると共に、一目で複数気筒のレシプロエンジンをイメージできるようにすることであり、またこれによって会社名や車名等の任意の文字等を表示したピストンが立体的に動くようにして、広告宣伝を有効に行うことができるようにすることである。
【００１３】また他の目的は、上記構成において、ディスプレイ部を水槽内に複数台設け、ピストンが水槽内で動く際に１回転に一度全部のピストンに夫々表示された表示内容が連なって外部から読み取れるように構成することによって、自動車のショールームのインテリアとして違和感なく設置できるようにすると共に、各ピストンにおける表示内容がショールームの外部を通行する歩行者や停車中のドライバ等の視界に入り易くすることである。
【００１４】更に他の目的は、上記構成において、ディスプレイ部を複数台直列に設けることによって、直列形気筒配置のレシプロエンジンを直接イメージでき、自動車のショールームや展示スペース等での設置に好適なディスプレイ装置を提供することである。
【００１５】
【課題を解決するための手段】
要するに本発明（請求項１）は、任意の表示内容を表示可能なピストンと、該ピストンを回転させる回転機構と、該回転機構による前記ピストンの回転に連動して前記ピストンを直線往復動させる往復機構とを備え、前記ピストンが直線往復動しながら回転するように構成したことを特徴とするものである。
【００１６】また本発明（請求項２）は、任意の表示内容を表示可能なピストンと、該ピストンを回転させる回転機構と、該回転機構による前記ピストンの回転に遊星歯車列を介して連動し前記ピストンを直線往復動させる往復機構とを備え、前記ピストンが直線往復動しながら回転するように構成したことを特徴とするものである。
【００１７】また本発明（請求項３）は、任意の表示内容を表示可能なピストンと該ピストンを回転させる回転機構と該回転機構による前記ピストンの回転に遊星歯車列を介して連動し前記ピストンを直線往復動させる往復機構とを備えたディスプレイ部を複数台設け、すべての前記回転機構が連動して回転するように構成し、すべての前記ピストンが直線往復動しながら回転するように構成したことを特徴とするものである。
【００１８】また本発明（請求項４）は、任意の表示内容を表示可能なピストンと、該ピストンの下方に配置され回転可能な駆動歯車と、該駆動歯車に固定されて共に回転可能なピストン支持体と、基台に固定された太陽歯車と、該太陽歯車に噛合し前記ピストン支持体に取り付けられた遊星歯車と、該遊星歯車により駆動されるクランクと、一端が該クランクに、他の一端が前記ピストンに連結されたコネクティングロッドとを備え、前記ピストンが該クランクにより前記コネクティングロッドを介して直線往復動しながら回転するように構成したことを特徴とするものである。
【００１９】また本発明（請求項５）は、任意の表示内容を表示可能なピストンと該ピストンの下方に配置され回転可能な駆動歯車と該駆動歯車に固定されて共に回転可能なピストン支持体と基台に固定された太陽歯車と該太陽歯車に噛合し前記ピストン支持体に取り付けられた遊星歯車と該遊星歯車により駆動されるクランクと一端が該クランクに、他の一端が前記ピストンに連結されたコネクティングロッドとを備えたディスプレイ部を複数台設け、隣り合う前記駆動歯車の間に遊び歯車を夫々配置してすべての前記駆動歯車が同期して回転するように構成し、該駆動歯車と連動してすべての前記ピストンが回転すると共に、前記クランクにより前記コネクティングロッドを介して直線往復動するように構成したことを特徴とするものである。
【００２０】また本発明（請求項６）は、任意の表示内容を表示可能なピストンと該ピストンの下方に配置され回転可能な駆動歯車と該駆動歯車に固定されて共に回転可能なピストン支持体と基台に固定された太陽歯車と該太陽歯車に噛合し前記ピストン支持体に取り付けられた遊星歯車と該遊星歯車により駆動されるクランクと一端が該クランクに、他の一端が前記ピストンに連結されたコネクティングロッドとを備えたディスプレイ部を水槽内に複数台設け、隣り合う前記駆動歯車の間に遊び歯車を夫々配置してすべての前記駆動歯車が同期して回転するように構成し、該駆動歯車と連動してすべての前記ピストンが回転すると共に、前記クランクにより前記コネクティングロッドを介して直線往復動するように構成し、かつ前記ピストンが前記水槽内で動く際に１回転に一度全部の前記ピストンに夫々表示された前記表示内容が連なって外部から読み取れるように構成したことを特徴とするものである。
【００２１】また本発明（請求項７）は、任意の表示内容を表示可能なピストンと該ピストンの下方に配置され回転可能な駆動歯車と該駆動歯車に固定されて共に回転可能なピストン支持体と基台に固定された太陽歯車と該太陽歯車に噛合し前記ピストン支持体に取り付けられた遊星歯車と該遊星歯車二より駆動されるクランクと一端が該クランクに、他の一端が前記ピストンに連結されたコネクティングロッドとを備えたディスプレイ部を複数台直列に設け、隣り合う前記駆動歯車の間に遊び歯車を夫々配置してすべての前記駆動歯車が同期して回転するように構成し、該駆動歯車と連動してすべての前記ピストンが直列状態で夫々回転すると共に、前記クランクにより前記コネクティングロッドを介して夫々直線往復動するように構成したことを特徴とするものである。
【００２２】
【発明の実施の形態】
以下本発明を図面に示す実施例に基いて説明する。本発明に係るディスプレイ装置１０は、図１から図６において、ディスプレイ部１１を水槽内１２に複数台設けて構成されている。
【００２３】ディスプレイ部１１は、ピストン１３と、駆動歯車１４と、ピストン支持体１５と、太陽歯車１６と、遊星歯車１８と、クランク１９と、コネクティングロッド２０とから構成されている。
【００２４】ピストン１３は、任意の表示内容の一例たる文字２１を表示可能な、例えば樹脂を上端が閉じた円筒形に形成したものであって、外周面１３ａの一箇所に文字２１が表示されている。文字２１は、例えば蛍光塗料や反射塗料等により表示され、専用に設けられた照明装置（図示せず）や外部からの光に照らされた場合等に、鮮明に光って見えるようになっている。
【００２５】駆動歯車１４は、図２から図６に示すように、ピストン１３の下方に配置され回転可能な、例えば平歯車であって、太陽歯車１６の固定軸２２に水平にかつ回動自在に取り付けられている。
【００２６】固定軸２２は、図６に示すように、水槽１２の底板２３の下側から上方に垂直に突出するように差し込まれ、フランジ部２２ａが底板２３の下面２３ａに当接したところでねじ２４により該底板２３に固定されている。底板２３には最も外径の大きい第１段付き部２２ａが挿入され、水漏れ防止のためのパッキング２５が取り付けられている。
【００２７】第１段付き部２２ａの長さは、底板２３の厚さよりも大きく形成されており、該第１段付き部２２ａに連続してより小径な第２段付き部２２ｂが形成されている。第２段付き部２２ｂには、更に連続してより小径な第３段付き部２２ｃが形成されている。
【００２８】即ち、駆動歯車１４は、固定軸２２に対して回動自在な状態で第２段付き部２２ｂに取り付けられ、高さ位置は下端面が第１段付き部２２ａの端面に当接することで定まっている。
【００２９】ピストン支持体１５は、駆動歯車１４に固定されて共に回転可能なものであって、図６に示すように、ピストン１３の内側に入る程度の幅及び奥行きを有する略コ字状部材であって、下端がねじ２６によって駆動歯車１４の上端面に固定されている。
【００３０】ピストン支持体１５の上端には、ピストン１３の内側に入る大きさの水平板２８がねじ２９により取り付けられており、該水平板２８には、例えば一対の直動軸受３０が取り付けられている。
【００３１】ピストン１３の上端の下面側には、例えば円形板３１が接着等により取り付けられており、該円形板３１の直径方向の対称位置（直動軸受３０の取付け位置に対応した位置）に、一対のガイド軸３２が下方に突出して取り付けられている。一対のガイド軸３２は、一対の直動軸受３０によって上下方向に案内されるようになっており、ガイド軸３２の長さはピストン１３のストローク量によって定められる。
【００３２】太陽歯車１６は、基台の一例たる固定軸２２に固定された傘歯車であって、固定軸２２の第３段付き部２２ｃにキー３３を介して取り付けられ、該キー３３はねじ３４によって固定されている。
【００３３】遊星歯車１７，１８は、太陽歯車１６に噛合し、ピストン支持体１５に取り付けられた傘歯車であって、１枚の太陽歯車１６につき、２枚の遊星歯車１８が夫々直角に噛合している。このうち遊星歯車１７は、ピストン１３を上下動させるために必要な歯車であるが、もう一枚の遊星歯車１８はバランスのために取り付けられているもので、太陽歯車１６と噛合して単に空回りするだけとなっている。
【００３４】遊星歯車１７，１８は、軸受ユニット３５によって両端が夫々支持された１本の水平軸３６に、互いに相対するように取り付けられている。軸受ユニット３５は、ねじ３８によってピストン支持体１５に夫々取り付けられている。
【００３５】遊星歯車１７は、例えばピン３９によって水平軸３６に固定されているが、遊星歯車１８は押え部材４０，４１によって水平方向が固定され、水平軸３６に対しては回動自在に取り付けられている。押え部材４０は、例えばピン４３により水平軸３６に固定されている。
【００３６】遊星歯車１７には、１枚の平歯車４３がねじ４４により取り付けられている。
【００３７】クランク１９は、図６に示すように、遊星歯車１７により駆動されるものであって、平歯車４３と噛合する平歯車４５に、ねじ４６により固定されている。なお、クランク１９を設けずに、平歯車４５にピン（図示せず）を取り付け、該ピンに対してコネクティングロッド２０を回動自在に連結してもよい。平歯車４５の中心からピンまでの長さがクランクと等価になるからである。
【００３８】平歯車４５は、軸４８にキー４９を介して取り付けられ、キー４９に対してねじ５０を締め付けることにより軸４８に固定されている。軸４８は軸受ユニット５１により水平に支持され、ダブルナット５２により抜止めが施されている。軸受ユニット５１はねじ５３によってピストン支持体１５に取り付けられている。
【００３９】コネクティングロッド２０は、一端２０ａがクランク１９に、他の一端２０ｂがピストン１３に連結されたものであって、一端２０ａは、例えばすべりワッシャ５５を介してねじ５４によりクランク１９に連結され、ねじ５４に対して回動自在となっている。
【００４０】ピストン１３の水平板２８の中央下面側には、下端に割り５６ａが形成された結合部材５６がねじ５８により固定されており、コネクティングロッド２０の他の一端２０ｂは、該結合部材５６の割り５６ａに差し込まれ、ピン５９により揺動可能に連結されている。
【００４１】ディスプレイ部１１は、図１から図５に示すように、例えば６個のユニットが直列に配置されており、これは直列６気筒のレシプロエンジンをイメージしたものである。
【００４２】隣り合う駆動歯車１４の間には、図２から図６に示すように、遊び歯車６０（計４枚），６５（１枚）を夫々配置し、例えば遊び歯車６５を駆動用に用い、すべての駆動歯車１４が同期して回転するように構成している。遊び歯車６５以外の４枚の遊び歯車６０は、単に従動するように構成されている。４枚の遊び歯車６０は、水槽１２の底板２３から垂直上方に差し込まれてダブルナット６１により固定された固定軸６２に水平に取り付けられ、押え部材６３及びねじ６４により固定されている。
【００４３】固定軸６２と底板２３との間には、パッキング（図示せず）が取り付けられ、水漏れを防止するようになっている。
【００４４】水槽１２の下側には、図２から図６に示すように、モータ６６を収容する架台６８が取り付けられ、モータ６６は底板２３にねじ６９により取り付けられたステー７０に水平に固定されている。
【００４５】モータ６６の軸７１には、傘歯車７２が取り付けられ、該傘歯車７２は、傘歯車７３と直角に噛合している。傘歯車７３は、回転軸７４の下端に取り付けられている。回転軸７４は、ナット７５と回転軸７４の段付き形状によって軸受ユニット７６に垂直状態で支持され、軸受ユニット７６は底板２３の下面２３ａにパッキング７８を介してねじ７７により固定されている。
【００４６】回転軸７４は、底板２３を貫通して上方に突出しており、上端には押え部材６３によって遊び歯車６５が取り付けられている。回転軸７４と底板２３との間には、水漏れ防止のためにパッキング７９が取り付けられている。
【００４７】架台６８は、例えばアングル材８０を組み合わせてパネル８１を取り付けたものである。架台６８上の水槽１２には、水８２を貯えることができるようになっており、底板２３の上側に存在するディスプレイ部１１の大部分は、水中に位置するようになっている。このためディスプレイ部１１の各部品の材料には、ステンレスや樹脂等の錆びにくいもの又は錆びないものが使用される。
【００４８】水槽１２は、図１に示すように、例えば上半分１２ａを透明に、下半分１２ｂを不透明にしてもよいし、またすべてを透明にしてもよい。
【００４９】ピストン１３の１回転に対する往復動のストローク量は、太陽歯車１６と遊星歯車１７の歯数比及び平歯車４３（遊星歯車１７と共に回転）と平歯車４５との歯数比によって任意に定めることができる。
【００５０】本実施例では、例えば太陽歯車１６と遊星歯車１７の歯数比が１：１、平歯車４３と平歯車４５との歯数比を１：２とすることにより、ピストン１３が１回転につき１往復し、またピストン１３が水槽１２内で動く際に、１回転に一度全部のピストン１３に夫々表示された文字２１が前面に揃った状態で連なって外部から読み取れるようになっている。
【００５１】各ピストン１３の位相差は、平歯車４５に取り付けられたクランク１９とコネクティングロッド２０との連結部の位置、即ち平歯車４５の角度位置を適当な角度ずつずらすことによって設定することができる。
【００５２】例えば図７に示すように、最も端のピストン１３が上死点９０に位置しているときにその隣のピストン１３が下死点９１に位置し、残りのピストン１３も同様に上下に交互に位相差を設けるには、各ディスプレイ部１１における平歯車４５の角度位置を３６０°／２＝１８０°ずつずらせばよい。
【００５３】また図８に示すように、すべてのピストン１３を同位相にするには、３６０°／１＝３６０°となることから、すべての平歯車４５の角度位置を揃えればよい。
【００５４】更に図９に示すように、ディスプレイ部１１を１０個設けた場合に、５個のピストン１３を１組として、上死点９０から下死点９１まで均等に位相差を設けるには、各ディスプレイ部１１における平歯車４５の角度位置を３６０°／５＝７２°ずつずらせばよい。
【００５５】そして図１０に示すように、ディスプレイ部１１を１０個設け、９個のピストン１３を１組として、上死点９０から下死点９１及び該下死点９１から上死点９０までＶ字形に位相差を設けるには、各ディスプレイ部１１における平歯車４５の角度位置を３６０°／９＝４０°ずつずらせばよい。
【００５６】本発明は、上記のように構成されており、以下その作用について説明する。図１１において、モータ６６を回転させて傘歯車７２を矢印Ａ方向に回転させると、該傘歯車７２と噛合している傘歯車７３が矢印Ｂ方向に回転し、これと共に遊び歯車６５が矢印Ｂ方向に回転する。
【００５７】遊び歯車６５の回転によって、該遊び歯車６５と噛合している２枚の駆動歯車１４が直接矢印Ｃ方向に回転し、残りの駆動歯車１４が遊び歯車６０を介して次々と連動して、すべての駆動歯車１４が矢印Ｃ方向に夫々回転することになる。
【００５８】駆動歯車１４が回転すると、該駆動歯車に固定されているピストン支持体１５も同角速度で回転する。ピストン支持体１５が回転すると、ピストン１３が矢印Ｃ方向に回転すると共に、遊星歯車１７，１８が太陽歯車１６と噛み合って矢印Ｄ方向に自転しながら、太陽歯車１６の周りを矢印Ｃ方向に公転する。太陽歯車１６は固定されているので、ピストン１３が１回転すると、遊星歯車１７，１８は夫々２回転する。なお、ピストン１３の回転速度は、例えば６ｒｐｍ程度であるので、１分間に１０回文字２１が表示されることになる。
【００５９】遊星歯車１７が回転すると、該遊星歯車１７に固定されている平歯車４３も同角速度で矢印Ｄ方向に自転しながら、矢印Ｃ方向に公転する。すると平歯車４３に噛合している平歯車４５も矢印Ｅ方向に自転しながら、矢印Ｃ方向に公転する。
【００６０】平歯車４５の回転と共に、クランク１９が回転し、コネクティングロッド２０を上下動させ、ピストン１３を上下動させようとする。この際ピストン１３に取り付けられたガイド軸３２が直動軸受３０によって案内されることにより、ピストン１３が上下方向、即ち矢印Ｆ及びＧ方向に直線往復動する。
【００６１】これによって、図１、図２及び図１１に示すように、各ピストン１３は、水槽１２の水８２の中で、一定の位相差を維持しながら、又は同位相で、矢印Ｆ及びＧ方向に直進往復動しながら矢印Ｃ方向に回転することになる。
【００６２】ピストン１３の回転方向における文字２１が表示されている角度位置が同位相の場合には、図１２及び図１３に示すように、１回転に一度全部のピストンに夫々表示された文字２１が前面に揃った状態で連なって外部から読み取ることができ、例えば図１２に示すような「ＴＯＹＯＴＡ」や図１３に示すような「ＮＩＳＳＡＮ」のような会社名や車名等を周期的、立体的かつ動的に見え隠れさせることができる。
【００６３】もちろん各ピストン１３の回転方向における文字２１の位相を少しずつずらせておけば、例えば１文字ずつ左から順番に表示させることも可能である。
【００６４】図１５に示すように、ディスプレイ装置１０を自動車のショールーム３の窓際に、例えば２台設置すると、ショールーム３を訪れた女性６，８等が椅子９に着席した際にも、該女性客の脚部の適度な目隠しとなるので、女性客が窓際に座るのを敬遠することもなくなり、外部からの視線を気にすることなく女性客との商談をスムーズに行うことが可能となり、しかも通行人に対するピーアール効果が大きく、その視線を引き付けることができる。
【００６５】ディスプレイ装置１０は、ピストン１３の動きによって、レシプロエンジンを直接的にイメージだけでなく、任意の文字２１を周期的、立体的かつ動的に表示するため、自動車のショールーム３や自動車ショーの展示ブースのインテリアとしても好適であり、訪れたお客様が注目することうけあいである。
【００６６】文字２１は蛍光塗料や反射塗料により描かれているので、営業終了後の夜間に作動させておいた場合でも、専用の照明装置等により光を正面上方から当てる等しておくと、ピストン１３が回転して文字２１が正面に現れたときに、該文字２１が瞬間的に光り輝くので、外部を通行する人々（図示せず）の目を非常に有効に引き付けることができ、しかもその文字２１を深く印象付けることが可能である。
【００６７】なお、上記構成においては、ピストンを回転させるために駆動歯車を用い、遊び歯車を介して複数のピストンを連動して回転させるように構成したが、請求項１から請求項３に記載のディスプレイ装置においてはこれに限るものではなく、ピストンを回転させる回転機構としては、例えば駆動歯車の部分を夫々ウォームホイールとして、１本の軸に取り付けられた該ウォームホイールと同数のウォームによって、ウォームホイールを夫々回転させるようにしてもよく、また駆動歯車の部分を夫々プーリとして、すべてのプーリをタイミングベルト等により同期させて回転させるようにしてもよい。
【００６８】更に図示の実施例では、ディスプレイ部を直列に配置しているが、請求項３、請求項５及び請求項６に記載のディスプレイ装置においては、これに限るものではなく、すべてのピストンが連動して作動すればよいので、例えば円弧形状に配列してもよいし、直線と曲線を組み合わせた配列にしてもよい。自動車のショールーム等の隅に設置することもあるからである。
【００６９】また上記構成においては、ピストンを直進往復動させる往復機構として、遊星歯車列とピストン−クランク機構を用いたが、請求項１に記載のディスプレイ装置においては、これに限るものではなく、ピストンを直進往復動させることができるものであれば、どのような機構、例えばカム機構を用いてもよい。
【００７０】
【発明の効果】
本発明は、上記のように、任意の表示内容を表示可能なピストンと、該ピストンを回転させる回転機構と、該回転機構によるピストンの回転に連動してピストンを直線往復動させる往復機構とを備え、ピストンが直線往復動しながら回転するように構成したので、ピストンに表示された表示内容を周期的、立体的かつ動的に見え隠れさせて、人々の目を非常に有効に引き付けることができる効果があり、またこの結果ピストンの動きからレシプロエンジンがイメージでき、自動車のショールームや自動車ショーの展示ブースに設置して会社名や車名等の広告装置として極めて好適なディスプレイ装置を提供できる効果が得られる。
【００７１】また上記構成において、回転機構によるピストンの回転に遊星歯車列を介して連動し、ピストンを直線往復動させる往復機構を備えたので、ピストン１回転に対する往復移動量を歯数比により定めて、その歯数比に応じた動きをピストンに与えることができる効果があり、またこの結果より人目を引き付けるような動きをピストンに与えることができる効果がある。
【００７２】更に任意の表示内容を表示可能なピストンと該ピストンを回転させる回転機構と該回転機構によるピストンの回転に遊星歯車列を介して連動しピストンを直線往復動させる往復機構とを備えたディスプレイ部を複数台設け、すべての回転機構が連動して回転するように構成し、すべてのピストンが直線往復動しながら回転するように構成したので、複数のピストンが同位相で又は所定の位相差を持ちながら動き、一目でレシプロエンジンをイメージできる効果があり、またこの結果自動車関連の広告宣伝に好適でしかも一目見ただけでそのピストンの動きに注目せずにいられないようなディスプレイ装置を提供できる効果が得られる。
【００７３】また任意の表示内容を表示可能なピストンと、該ピストンの下方に配置され回転可能な駆動歯車と、該駆動歯車に固定されて共に回転可能なピストン支持体と、基台に固定された太陽歯車と、該太陽歯車に噛合しピストン支持体に取り付けられた遊星歯車と、該遊星歯車により駆動されるクランクと、一端が該クランクに、他の一端がピストンに連結されたコネクティングロッドとを備え、ピストンが該クランクによりコネクティングロッドを介して直線往復動しながら回転するように構成したので、各歯車の歯数比によってピストンの挙動を設定できると共に、自動車に関連した機械的な動作によってピストンが回転及び直線往復動して、より多くの人が該ピストンの動きに関心を抱くと共にその表示内容が深く印象付けられる効果があり、またこの結果より多くの人が自動車のショールーム等を訪れ、自動車の販売が促進されるという効果が得られる。
【００７４】更に上記構成において、ディスプレイ部を複数台設け、隣り合う駆動歯車の間に遊び歯車を夫々配置してすべての駆動歯車が同期して回転するように構成し、該駆動歯車と連動してすべてのピストンが回転すると共に、クランクによりコネクティングロッドを介して直線往復動するように構成したので、各々のピストンが常に同位相又は所定の位相差を持って回転及び往復動すると共に、一目で複数気筒のレシプロエンジンをイメージできる効果があり、またこの結果会社名や車名等の任意の文字等を表示したピストンが立体的に動き、広告宣伝を有効に行うことができる効果が得られる。
【００７５】また上記構成において、ディスプレイ部を水槽内に複数台設け、ピストンが水槽内で動く際に１回転に一度全部のピストンに夫々表示された表示内容が連なって外部から読み取れるように構成したので、自動車のショールームのインテリアとして違和感なく設置できると共に、各ピストンにおける表示内容がショールームの外部を通行する歩行者や停車中のドライバ等の視界に入り易くなるという効果が得られる。
【００７６】更に他の目的は、上記構成において、ディスプレイ部を複数台直列に設けたので、直列形気筒配置のレシプロエンジンを直接イメージでき、自動車のショールームや展示スペース等での設置に好適なディスプレイ装置を提供できる効果が得られる。
【図面の簡単な説明】
【図１】図１から図１４は本発明に係り、図１はディスプレイ装置の斜視図である。
【図２】水槽内に水が入った状態で各ピストンが回転及び上下に直進往復動しており、各ピストンに表示されているすべての文字が正面から読み取れる状態を示す部分縦断面図である。
【図３】ディスプレイ装置の部分縦断面図である。
【図４】ディスプレイ装置の縦断面図である。
【図５】ディスプレイ装置の部分横断面図である。
【図６】ディスプレイ装置において、１個のディスプレイ部及びモータの取付け状態等を示す縦断面図である。
【図７】ピストン数が６個で位相差が交互に１８０°のピストン配列を示す略図である。
【図８】ピストン数が６個で位相差が３６０°のピストン配列を示す略図である。
【図９】ピストン数が１０個で位相差が７２°のピストン配列を示す略図である。
【図１０】ピストン数が１０個で位相差が４０°のピストン配列を示す略図である。
【図１１】ディスプレイ装置において、各ピストンが回転及び上下に直進往復動している状態を示す縦断面図である。
【図１２】ディスプレイ装置において、各ピストンに表示した文字（ＴＯＹＯＴＡ）が正面から読み取れる状態を示す正面図である。
【図１３】ディスプレイ装置において、各ピストンに表示した文字（ＮＩＳＳＡＮ）が正面から読み取れる状態を示す正面図である。
【図１４】ディスプレイ装置を設置し、女性客の脚部の目隠しとなりかつ通行人の目を引き付けるピーアール効果が得られている状態を示す自動車ショールームの正面図である。
【図１５】従来例に係り、女性客の脚部がそのひざ上まで通行人から見えてしまっている状態を示す自動車ショールームの正面図である。
【符号の説明】
１０    ディスプレイ装置
１１    ディスプレイ部
１２    水槽
１３    ピストン
１４    駆動歯車
１５    ピストン支持体
１６    太陽歯車
１７    遊星歯車
１９    クランク
２０    コネクティングロッド
２０ａ  一端
２０ｂ  他の一端
２１    表示内容の一例たる文字
【図１】
2004347819.tif 000003
【図２】
2004347819.tif 000004
【図３】
2004347819.tif 000005
【図４】
2004347819.tif 000006
【図５】
2004347819.tif 000007
【図６】
2004347819.tif 000008
【図７】
2004347819.tif 000009
【図８】
2004347819.tif 000010
【図９】
2004347819.tif 000011
【図１０】
2004347819.tif 000012
【図１１】
2004347819.tif 000013
【図１２】
2004347819.tif 000014
【図１３】
2004347819.tif 000015
【図１４】
2004347819.tif 000016
【図１５】
2004347819.tif 000017